(57)【要約】【課題】暗い場所においても作業効率を下げることなく、正確かつ確実に害虫駆除を可能とするベイトガンを提供すること。【解決手段】薬剤容器を装着可能な胴部（３）と、該胴部（３）の下方側に連設したグリップ（４）と、前記胴部（３）の上方側に連設した、光源（１４）と該光源（１４）を点灯させるための電源（１５）を備えた照明手段（５）と、を有する本体部（２）と、前記胴部（３）を前後方向に移動自在に貫通した薬剤押し出し手段（６）と、前記本体部（２）に可動自在に軸支されるとともに、その先端部分が、前記薬剤押し出し手段（６）に前記薬剤押し出し手段（６）を前方方向へ押し出し自在に係止されたレバー（７）と、を備えたベイトガンであって、前記照明手段（５）により、前記本体部（２）の前方に向けて光を照射可能としたことを特徴とした。【選択図】図１
0003130091.tif 000002
【実用新案登録請求の範囲】
【請求項１】
薬剤容器を装着可能な胴部（３）と、該胴部（３）の下方側に連設したグリップ（４）と、前記胴部（３）の上方側に連設した、少なくとも光源（１２）と該光源（１２）を点灯させるための電源（１３）を備えた照明手段（５）と、を有する本体部（２）と、
前記胴部（３）を前後方向に移動自在に貫通した薬剤押し出し手段（６）と、
前記本体部（２）に可動自在に軸支されるとともに、その先端部分が、前記薬剤押し出し手段（６）に、前記薬剤押し出し手段（６）を前方方向へ押し出し自在に係止されたレバー（７）と、を備えたベイトガンであって、
前記照明手段（５）により、前記本体部（２）の前方に向けて光を照射可能としたことを特徴としたベイトガン。
【請求項２】
前記光源（１２）としてＬＥＤを用いるとともに前記電源（１３）としてボタン電池を用い、更に、光源（１２）への電源供給を切り替えるためのスイッチ機構を備えたことを特徴とするベイトガン。
【考案の詳細な説明】
【技術分野】
【０００１】
本考案はベイトガンに係り、より詳しくは、本体部に照明手段を一体的に備えることにより、暗闇等でも正確、確実に害虫駆除を可能にしたことを特徴とするベイトガンに関する。
【背景技術】
【０００２】
従来から、ゴキブリ等の害虫を駆除する際には、薬剤を害虫に向けて吐出可能とした薬剤吐出装置を用いることが多いが、特にレストラン等の厨房において害虫駆除を行う場合には、ガンタイプの薬剤吐出装置（以下「ベイトガン」という。）が用いられることが多い。
【０００３】
そして、この従来から用いられているベイトガンでは、グリップが連設された本体部を有しており、この本体部に薬剤容器を装着可能としている。
【０００４】
また、前記本体部には薬剤押し出し棒が前後方向へ可動自在に挿装されており、本体部に薬剤容器を装着した状態で前記薬剤押し出し棒を前方側へ移動させることにより、薬剤押し出し棒により薬剤容器内のピストンが押し出されるとともに、薬剤容器内の薬剤を前方へ吐出可能としている。
【０００５】
一方、本体部にはレバーが回動自在に軸支されているとともに、このレバーの先端部は前記薬剤押し出し棒に係止されており、その係止に際しては、レバーを引くことにより前記薬剤押し出し棒を前方へ押し出し可能としている。
【０００６】
そして、レバーを引くことにより薬剤押し出し棒を前方へ押し出し、この薬剤押し出し棒の先端により薬剤容器内にピストンを押圧し、これにより薬剤容器内の薬剤を吐出可能としている。
【０００７】
あるいは、従来のベイトガンには、薬剤を充填した容器に連結し、容器内の薬剤を、ベイトガンを介して吐出可能にしたものも提供されており、即ち、ベイトガンのレバーを引くことによりベイトガンを介して容器内の薬剤を吐出可能にしたものも提供されている。そしてこれらのベイトガンによれば、害虫との距離がある場合でも害虫に向けて薬剤を吐出することが可能となる。
【特許文献１】実用新案登録第３０１２０２２号公報
【特許文献２】実公昭６１−４３５５８号公報
【考案の開示】
【考案が解決しようとする課題】
【０００８】
ところで、ゴキブリ等の害虫は一般的に狭小で暗い場所を好むために、これらの暗い場所に居るゴキブリ等を正確かつ確実に駆除するためにはライト等を用いて害虫の位置を確認する必要がある。
【０００９】
しかしながら、片手でライト等を持ちながらの作業は面倒であり、手元が狂うおそれも十分に考えられるため、効率的とは言えない。
【００１０】
この点、従来は、ベイトガンにライト等を装着可能としたものも提供されており、このベイトガンを用いることにより片手でライトを持ちながらの作業は回避することは可能であるが、この場合には、ライトの取り外し作業が面倒になり、作業全体が煩雑にならざるを得ないという問題点が考えられる。
【００１１】
そこで、本考案は、暗い場所においても、作業効率を下げること無く、正確かつ確実に害虫駆除を可能とするベイトガンを提供することを課題としている。
【課題を解決するための手段】
【００１２】
本考案のベイトガンは、
薬剤容器を装着可能な胴部と、該胴部の下方側に連設したグリップと、前記胴部の上方側に連設した、光源と該光源を点灯させるための電源を備えた照明手段と、を有する本体部と、
前記胴部を前後方向に移動自在に貫通した薬剤押し出し手段と、
前記本体部に可動自在に軸支されるとともに、その先端部分が、前記薬剤押し出し手段に、前記薬剤押し出し手段を前方方向へ押し出し自在に係止されたレバーと、を備えたベイトガンであって、
前記照明手段により、前記本体部の前方に向けて光を照射可能としたことを特徴としている。
【考案の効果】
【００１３】
本考案のベイトガンでは、本体部の前方に向けて光を照射可能とした照明手段を一体に備え、容易に前方を照らすことを可能としているため、作業全体を煩雑にすること無く、暗い場所においても容易に害虫に向けて確実かつ正確に薬剤を吐出することができる。
【考案を実施するための最良の形態】
【００１４】
本考案のベイトガンは、薬剤容器を装着可能な胴部と、この胴部の下方側に連設したグリップと、前記胴部の上方側に連設した照明手段とを一体とした本体部を備えており、照明手段は、光源と、この光源を点灯させるための電源を備えており、光源に電源を供給することにより、本体部の前方に向けて光を照射可能としている。
【００１５】
また、本考案のベイトガンでは、胴部に装着した薬剤容器内の薬剤を吐出するための、薬剤押し出し手段としての薬剤押し出し棒を有しており、この薬剤押し出し棒は、胴部を前後方向に移動自在に貫通している。
【００１６】
更に、前記本体部にはレバーが回動自在に軸支されており、このレバーの上端部分は、レバーを引いた際に前記薬剤押し出し棒を前方方向へ押し出し自在なように、前記薬剤押し出し棒に係止されている。
【実施例１】
【００１７】
本考案のベイトガンの実施例について図面を参照して説明すると、図１は、本実施例のベイトガンの側面図であり、また、図２は本実施例のベイトガンを正面側から示した概略斜視図、図３は本実施例のベイトガンを後方側から見た概略斜視図であり、更に、図４は、本実施例のベイトガンの構造を示す一部断面図であり、図において１が本実施例のベイトガンである。
【００１８】
そして、本実施例のベイトガン１では本体部を有しており、即ち、図１において２が本体部であり、本実施例において前記本体部２は、胴部３の下方側にグリップ４を連設するとともに、前記胴部３の上方側には照明手段５を連設して一体に構成されている。
【００１９】
次に、本実施例のベイトガン１の構造を説明すると、図１乃至図４において、前記胴部３内は中空としており、その前後壁には貫通孔３０１が形成され、更に、胴部３の前方側には、薬剤容器が係合する係合溝３０２を上下に備えた装着空間３０３が形成されている。
【００２０】
なお、ここで、前記薬剤容器２１について説明すると、図６は薬剤容器２１の構造を示す断面図であり、図において、前記薬剤容器２１は、シリンダー状の容器本体２２を有しており、この容器本体２２内に薬剤２４が充填されている。また、容器本体２２の先端部にはノズル２２０１が形成されており、このノズルを介して容器本体２２の内部の薬剤２４を外部に吐出可能としている。
【００２１】
更に、容器本体２２には、容器本体２２を密閉するためのピストン２３が挿装されており、この構成において、前記ピストン２３を押圧することにより、ピストン２３の移動に伴って容器本体２２の内部の薬剤２４をノズル２２０１より吐出可能としている
【００２２】
また、図において２２０２は、容器本体２２を前記ベイトガン１に装着するための係止用突起であり、この係止用突起２２０２は、前記容器本体２２の後端部において、容器本体２２の径を拡大することにより形成しており、この係止用突起２２０２を、前記胴部３の前方側に形成した装着空間３０３内に挿入しつつ前記係合溝３０２に係合することにより、薬剤容器２２をベイトガン１に装着することができる。
【００２３】
なお、本実施例において、前記薬剤容器２１における容器本体２２の係止用突起２２０２は略楕円状の輪郭としており、一方、前記装着空間３０３は、略楕円状の輪郭とした前記掛止用突起２２０２が挿装可能な寸法の横長にするとともに左右の壁はわずかに円弧状としている。そのために、掛止用突起２２０２を装着空間３０３内に挿装した後に、容器本体２２を約９０度回転することで、掛止用突起２２０２が係合溝３０２内に係合し、これにより薬剤容器２１を本実施例のベイトガン１に装着することが可能となる。
【００２４】
次に、本実施例のベイトガン１では、薬剤押し出し手段としての薬剤押し出し棒６を有しており、この薬剤押し出し棒６は、前記胴部３の貫通孔３０１を貫通する形態で、前記胴部３を、前後方向に移動自在に貫通している。
【００２５】
ここで、前記薬剤押し出し棒６について説明すると、本実施例において前記薬剤押し出し棒６は、前記薬剤容器２１の容器本体２２内に挿入可能な細長の平板状としており、その先端部には、前記薬剤容器２１のピストンを押圧可能な押圧部６０１を有している。
【００２６】
また、下側部分には複数個の鋸歯状の係止部６０２が形成されており、この係止部６０２は、斜め前方方向へ切り込んだテーパー部６０３と、このテーパー部６０３の先端から略鉛直方向へ下がった係止壁部６０４とにより構成されており、この係止部６０２が、前記薬剤押し出し棒６の下側部分に、連続して多数個形成されている。
【００２７】
次に、前記本体部２にはレバー７が回動自在に軸支されており、このレバー７を後方側（使用者の手前側）に引くことにより、前記薬剤押し出し棒６を前方に移動可能としている。
【００２８】
この関係について説明すると、前記レバー７は、前記グリップ４の上方部分において、ピン８によって前記本体部２に軸支されており、これにより回動自在とされている。
【００２９】
そして、前記レバー７の先端部には押圧手段９が回動自在に軸支され、この押圧手段９の先端部は鋭角状にするとともに、前記薬剤押し出し棒６における係止部６０２に係止されている。即ち、鋭角状とした押圧手段９の先端部９０１は、前記係止部６０１におけるテーパー部６０３と係止壁部６０４が交わる部分に嵌り込んでおり、これにより、前記レバー７を引くことで、レバー７の先端部が前方へ移動するとともに押圧手段９も前方へ移動すると、薬剤押し出し棒６もまた前方に移動することとなる。
【００３０】
また、前記レバー７は、スプリング１１により、その下端部が前記グリップ４から離反する方向に付勢されており、これにより、前記レバー７の先端部及び押圧手段９は、通常の状態ではグリップ４側に付勢されている。
【００３１】
そして、この構成により、通常の状態では、スプリング１１の付勢力によって、前記レバー７の上端部及び押圧手段９は、胴部３内において後方側に位置しており、これによりレバー７は手前側へ引くことが可能な状態となっている。
【００３２】
次に、この状態でレバー７を手前側に引くと、これによりレバー７の先端部がピン８を支点にして前方側へ移動するとともに、押圧手段９もまた前方側へ移動する。そしてこのとき、押圧手段９の先端部は薬剤押し出し棒６の下面部分に形成した係止部６０２に係止されているため、押圧手段９が前方側へ移動することにより薬剤押し出し棒６は前方側へ押し出され、これにより、薬剤押し出し棒６の先端部分で薬剤容器２１のピストン２３を押圧し、ノズル２２０１より薬剤を吐出することが可能となる。
【００３３】
また、前記薬剤押し出し棒６を後退させて元の位置に戻す場合には、押圧手段９の下端部分９０２を上側に押し上げて、押圧手段９の先端部９０１と薬剤押し出し棒６における係止部６０２との係合を解除し、この状態で薬剤押し出し棒６を後方側へ移動させればよい。従って、好ましくは、前記押圧手段９は、図示しないスプリング等により、その先端部９０１がテーパー部６０３と係止壁部６０４が交わる部分に嵌り込む方向に付勢させるとよい。
【００３４】
次に、前記照明手段５について説明すると、本実施例のベイトガン１では、図１乃至図４からも明らかなように、前記胴部３の上方側に照明手段５を一体に連設しており、これによって、ベイトガン１の前方側へ光を照射可能にするとともに、照明手段の取り付け作業等を無くして作業全体が煩雑になることを防止している。
【００３５】
ここで、本実施例における前記照明手段５の構成を説明すると、図５は照明手段５の内部構造を示すための一部断面図であり、本実施例において前記照明手段５は、少なくとも内周壁を導電性の導電部とした筒状の本体部１６を有しており、この本体部１６の後方側には、導電部を有する蓋１５が、この導電部が前記本体部１６の導電部に通電可能な配置で螺合されている。また、前記本体部１６の前方側にはフロントカバー１７が螺合されており、この本体部１６と蓋１５とフロントカバー１７により筐体が構成され、この筐体内に、光源としてのＬＥＤ１２と、このＬＥＤ１２に電源を供給するためのボタン電池１３が収容され、ＬＥＤ２の発光を可能にしている。
【００３６】
即ち、前記蓋１５には、蓋１５の導電部と導通可能な配置で、導電性のスプリング１４が連結されており、このスプリング１４には電池１３のマイナス極が接続され、これにより、前記本体部１６にはマイナスの電源が供給されているとともに、電池１３はスプリング１４によって反蓋１５方向へ付勢されている。
【００３７】
また、前記電池１３のプラス極は、スイッチ機構を介して前記ＬＥＤ１２に接続されているとともに、前記スイッチ機構によって、前記電池１３のプラス極と前記本体部１６との接触及び非接触を選択可能とし、これによりＬＥＤ１２の点灯、消灯を自在としている。
【００３８】
ここで、前記スイッチ機構について説明すると、本実施例において前記スイッチ機構は、筒状とした本体部１８０１と、この本体部１８０１の先端側に連設した装着部１８０２と、前記本体部１８０２の基端側に連設した通電部１８０３とを有しており、前記装着部１８０２にＬＥＤ１２が装着されている。
【００３９】
また、前記通電部１８０３は、前記電池１３のプラス極に当接された接点部１８０４と、前記本体部１６の内周側における先端側に突設した通電壁１６０１に接続可能な通電板１８０５とを有し、接点部１８０４と通電板１８０５とは、絶縁部１８０６により絶縁されている。そして、前記ＬＥＤ１２の一方のリード線は前記接点部１８０４に接続され、前記ＬＥＤ１２の他方のリード線は前記通電板１８０５に接続され、更に前記通電板１８０５は、スプリング１４の付勢力に対抗してスイッチ機構を蓋１５側に押し込んだ状態では通電壁１６０１と非接触となり、スプリング１４の付勢力によってスイッチ機構を反蓋１５側に移動させた状態では通電壁１６０１と接触する構成としている。
【００４０】
一方、前記フロントカバー１７の内周側には押圧板１７０１が形成されるとともに、この押圧板１７０１は前記装着部１８０２に当接されており、フロントカバー１７を締め付け、あるいは緩めることにより、スプリング１４の付勢力と相まって、前記本体部１８０１及びこの本体部１８０１の基端側に連設した通電部１８０３を可能としている。
【００４１】
従って、前記フロントカバー１７を締め付ける方向に回転させた状態では、前記スイッチ機構は、押圧板１７０１に押されつつスプリング１４の付勢力に対抗して前記電池１３とともに蓋１５側へ移動し、これにより、前記通電板１８０５が前記通電壁１６０１と非接触になってＬＥＤ１２への電源供給は行われず、一方、前記フロントカバー１７を本体部１６に対して緩めると、前記スイッチ機構は、スプリング１４の付勢力によって前記電池１３とともに反蓋１５側へ移動し、これにより、前記通電板１８０５が前記通電壁１６０１と接触してＬＥＤ１２へ電源が供給され、ＬＥＤ１２が点灯する。
【００４２】
そのために、本実施例におけるスイッチ機構では、フロントカバー１７を回転させることのみで、ＬＥＤ１２の点灯、及び消灯を行うことが可能となる。なお、図において１９は集光用レンズである。
【００４３】
次に、このように構成される本実施例のベイトガン１の作用について説明すると、本実施例のベイトガン１を用いて害虫駆除を行う場合には、前述した方法により、薬剤を充填した薬剤容器２１を本体部２に装着して、この状態で、照明手段５におけるフロントカバー１７を緩める方向に回転させ、これによりＬＥＤ１２を点灯させる。
【００４４】
そして、害虫が居ると思われる箇所に本体部２の先端部を向けるとともに、レバー７を引く。そうすると、前述の機構により、薬剤押し出し棒６が前方に移動して薬剤容器２１のピストン２３を押圧し、これにより、害虫に向けて薬剤を吐出して害虫の駆除を行うことが可能となる。
【００４５】
そしてこのとき、本実施例のベイトガン１では、照明手段５を備えており、この照明手段５により前方を照らすことができるため、ライトを別個に持つ必要がなく、正確かつ確実に害虫に向けて薬剤を吐出することが可能である。
【００４６】
また、本実施例のベイトガンでは、照明手段を胴部の上部に一体に連設し、胴部、グリップ及び照明手段で本体部を構成しており、これにより、ベイトガンを使用するたびごとに照明手段を装着する作業を不要としているために、作業全体をスムーズに進めることが可能である。
【００４７】
なお、本考案は照明手段を一体に連設したベイトガンである点を特徴としているために、照明手段の構成は特に限定されず、必ずしも前述した構成にする必要はない。従って、前記光源として電球を用いてもよく、電池に関しても複数個のボタン電池を用い、あるいは乾電池を用いてもよい。
【００４８】
また、その他の構成に関しても、薬剤容器を装着可能な胴部とこの胴部の下方側に連設したグリップ４を有する本体部２と、この本体部２を前後方向に移動自在に貫通した薬剤押し出し棒６と、本体部２に可動自在に軸支されるとともにその先端部分が前記薬剤押し出し棒６に前記薬剤押し出し棒６を前方方向へ押し出し自在に係止されたレバー７と、を備えていればよく、必ずしも前述の構成には限定されない。
【産業上の利用可能性】
【００４９】
本考案のベイトガンは、照明手段を一体に備えることで、照明手段の装着作業を経ることなく、暗い場所においても作業効率を下げることなく害虫駆除を可能にしているため、ライト等を必要とする害虫駆除に用いるベイトガンの全般に適用可能である。
【図面の簡単な説明】
【００５０】
【図１】本考案のベイトガンの実施例の側面図である。
【図２】本考案のベイトガンの実施例を正面側から示した斜視図である。
【図３】本考案のベイトガンの実施例を後方側から示した斜視図である。
【図４】本考案のベイトガンの実施例の構造を説明するための一部断面図である。
【図５】本考案のベイトガンの実施例における照明手段を説明するための一部断面図である。
【図６】薬剤容器を説明するための断面図である。
【符号の説明】
【００５１】
１    ベイトガン
２    本体部
３    胴部
３０１    貫通孔
３０２    係合溝
３０３    装着空間
４    グリップ
５    照明手段
６    薬剤押し出し棒
６０１    押圧部
６０２    係止部
６０３    テーパー部
６０４    掛止壁部
７    レバー
８    ピン
９    押圧手段
１０    ピン
１１    スプリング
１２    光源（ＬＥＤ）
１３    電池
１４    スプリング
１５    蓋
１６    本体部
１６０１    通電壁
１７    フロントカバー
１７０１    押圧部
１８０１    本体部
１８０２    装着部
１８０３    通電部
１８０４    接点部
１８０５    通電板
１８０６    絶縁部
１９    集光レンズ
２１    薬剤容器
２２    容器本体
２２０１    ノズル
２２０２    係止用突起
２３    ピストン
２４    薬剤
【図１】
0003130091.tif 000003
【図２】
0003130091.tif 000004
【図３】
0003130091.tif 000005
【図４】
0003130091.tif 000006
【図５】
0003130091.tif 000007
【図６】
0003130091.tif 000008
【手続補正書】
【提出日】平成18年12月20日(2006.12.20)
【手続補正１】
【補正対象書類名】実用新案登録請求の範囲
【補正対象項目名】請求項２
【補正方法】変更
【補正の内容】
【請求項２】
前記光源（１２）としてＬＥＤを用いるとともに前記電源（１３）としてボタン電池を用い、更に、光源（１２）への電源供給を切り替えるためのスイッチ機構を備えたことを特徴とする請求項１に記載のベイトガン。